(57)【要約】      （修正有）【課題】水道水と海水に含まれる有機化合物を除去するセラミックスの製造方法およびそれを用いた飲料水の製造方法を提供する。【解決手段】薬石麦飯石を５ミクロン以下の粉体に形成して、この粉体を電気炉で８００度以下で４８時間程度焼成処理（土味を消すため）して含水比１５％以下に乾燥したものを８０％と、ホッキ貝殻を温度５００度以下で２４時間焼成し、焼成したホッキ貝殻の外側部分を取り除いた内部の白色部分のみを５ミクロン以下の粉体に形成し、この粉体を９００度以下で４８時間程度焼成処理（生臭い味を消す意味を兼ねる）したものを２０％混合したセラミックスの粉体および球状形成体で、水道水と海水に含まれるトリハロメタンなどの有機化合物の除去剤として活用出来る。【選択図】なし【特許請求の範囲】
【請求項１】
水道水と海水の有機化合物を除去し有効性のある水にするために、薬石麦飯石を５ミクロン以下の粉体に粉砕し、電気炉を使い８００度以下で４８時間焼成したもの８０％に、ホッキ貝殻の内部白色部分を９００度以下で焼成し、５ミクロン以下の粉体に粉砕したもの２０％を加え、混合した粉体を形成し、この粉体をステンレス製容器に入れ薬石麦飯石に８時間以上放置した水を加えて水溶液を作り、温度７０度以下で加熱して、水分を蒸発させ乾燥したセラミックス粉体であり、セラミックス球状体については、薬石麦飯石に８時間以上放置した水を、そのセラミックス粉体に加えながら硬めに練り、これを直径６〜８ｍｍ程度の棒状に形を変えて６〜８ｍｍの長さに切りながら、少し傾斜にして適度の回転を加えた長方形で円筒形のステンレス製のドラムに入れ回転の力で球状体とし、その後乾燥したセラミックス球状体で、結果、粉体と球状体は共に、水道水と海水に含まれる有機化合物を除去するセラミックスの製造法。
【請求項２】
使用方法としては、セラミックス粉体は、陸上の海水槽で魚の養殖を可能にし、セラミックス球状体は、水道の蛇口から出た水道水を再浄化して薬石麦飯石の機能が働き、低温水から高温水までの腐敗しない飲料水の使用法。
【発明の詳細な説明】
【技術分野】
【０００１】
従来の研究で出来た製品は、飲料水として飲んだ人の安全性に対し、水中に混入している有害菌を除去する目的が多く、水源地の水に混入している不純物（有機物）と水の殺菌用の塩素が、化学反応を越して発生する有機化合物を除去出来る実用性のある物が少なかった、特に、飲料水のために加工されているセラミックスでも水温２５度程度以上になると、土の香り味がしたり、生臭い味がしたり、腐敗の香り味がしたりして高水温には不安定であり、冷水時から２０度程度の水温には安定が保たれた状態である。
【背景技術】
【０００２】
本発明の薬石麦飯石（石英斑岩、鉱物名花崗斑岩）とは、２,０００年以上前に中国モンゴル地区で発見された薬石で、火山が爆発した時に約８００度（昭和２２年頃岐阜県加茂郡白川町切井で当時心臓病を患っていた丹羽喜義氏によって日本で初めて発見され、その後、京都大学の益富寿之助博士、岐阜薬科大学の大野明教授らにより昭和３４年頃まで研究され、推定される温度は８００度程度と研究者の益富博士と発見者の丹羽喜義氏（ウラン鉱石発見者）の発言より）で加熱した石英斑岩を云い、長年の研究から中国の麦飯石と同じであることが証明され、昭和３４年医薬部外品に指定されその内容は、水中に３６種類の無機物ミネラルを放出し、遠赤外線とアルファー線を放出し、水のクラスター（水分子）を分解して小さくし、水素イオンを増加させ腐敗に傾いている水を真水に戻す働きがある。
【０００３】
本発明の焼成ホッキ貝殻とは、焼成ホッキ貝殻の抗菌作用についての研究結果が平成１１年５月３１日月曜日に日経新聞に掲載され、平成１１年６月４日日本食品化学学会で発表されている、研究した新潟薬科大学の及川紀久雄教授の研究結果は、焼成処理したホッキ貝殻には未処理のホッキ貝殻より百数十倍の抗菌作用があり、焼成カキ貝殻の２０倍の抗菌作用と発表されて、アルカリ度は貝類の中では最高の１２,４であり、尚、焼成とは５００〜９００度の温度を言い又、抗菌とは大腸菌、一般細菌、緑膿菌、黄色ブドウ球菌についての結果を云う。
【発明の開示】
【発明が解決しようとする課題】
【０００４】
水源地の水に含まれる不純物（有機物）と、殺菌用の塩素が化学反応を起こして発ガン性のあるトリハロメタンなど有機化合物の発生が「全米２７都市で発見された」と云うニュースが、１９７５年４月読売新聞に掲載され又、１９８０年６月日本経済新聞には「浄水場で発ガン物質が生成されている」と云う大阪大学の研究報告が掲載され、現在では、トリハロメタンなど有機化合物は６０種類と云われその内、発ガン物質は２０種類とも云われている。
【０００５】
世界の生活用水には、一般河川の水、地下水、雨水を貯めた水など様々であるが、ほとんど塩素を使い浄化して水道水として使われている場合が多く、現在も以後も地球上の人口が増加し水源地の環境が悪化する中で、塩素の果たす役割は偉大であるが、しかし、直接の飲料水としては、味が悪い、病気の原因になるなどの理由で、多くの人に敬遠されているのが実情である。
【０００６】
世界的に見てアジア諸国に住む若年層の様に、原因不明で視力が弱くなり、目の病気が増えている問題を解決するには、体内の水分比血液９０％細胞８０％内臓８０％骨２０％、と云われ、体内の水分は平均、成長期には８０％と云われ成人で７０％とも云われていて、その生命を健康体に改善するには、水道水に含まれる有機化合物などを除去し経費の掛からない飲料水が必要になる。
【０００７】
国際的に生活習慣からとも云える肥満が増えてきてその改善の具体策が問題である。
【０００８】
海水が汚染し海岸での魚の養殖が問題になり、これからの養殖の方法が問題である。
【課題を解決するための手段】
【０００９】
水道水と海水の有機化合物を除去し有効性のある水にするために、薬石麦飯石を５ミクロン以下の粉体に粉砕し、電気炉を使い８００度以下で４８時間焼成したもの８０％に、ホッキ貝殻の内部白色部分を９００度以下で焼成し、５ミクロン以下の粉体に粉砕したもの２０％を加え、混合した粉体を形成し、この粉体をステンレス製容器に入れ薬石麦飯石に８時間以上放置した水を加えて水溶液を作り、温度７０度以下で加熱して、水分を蒸発させ乾燥したセラミックス粉体であり、セラミックス球状体については、薬石麦飯石に８時間以上放置した水を、そのセラミックス粉体に加えながら硬めに練り、これを直径６〜８ｍｍ程度の棒状に形を変えて６〜８ｍｍの長さに切りながら、少し傾斜にして適度の回転を加えた長方形で円筒形のステンレス製のドラムに入れ回転の力で球状体とし、その後乾燥したセラミックス球状体で、結果、粉体と球状体は共に、水道水と海水に含まれる有機化合物を除去するセラミックスの製造法であり、使用方法としては、セラミックス粉体は、陸上の海水槽で魚の養殖を可能にし、セラミックス球状体は、水道の蛇口から出た水道水を再浄化して薬石麦飯石の機能が働き、低温水から高温水までの腐敗しない飲料水とする。
【発明の効果】
【００１０】
２種類の研究結果を一つの物質にし、水道水の再浄化から飲料水作りに役立てる事は、研究結果を出した方へは感謝があり、具体的には、セラミックス球状体を専用容器に入れ普及すれば、一人一人が自分の飲料水のために水道水を再浄化する事が出来、有機化合物を除去して飲料水として飲むことが可能になる。
【００１１】
セラミックス球状体で水道水から有機化合物を除去した飲料水を飲む事で、特にアジア諸国の若年層に蔓延している目の病気の予防が出来る。
【００１２】
水道水から機能性セラミックス球状体で再浄化するシステムは、平均１８０回くり返し使えて、少ない経費で多くの飲料水が飲める事になる。
【００１３】
セラミックス球状体の原材料の薬石麦飯石機能が働き、低水温から高水温まで腐敗しない飲料水を作り、熱帯地方、中近東地方で使用可能になる。
【００１４】
海水の汚染で海岸での魚の養殖が問題であるが、陸上の海水漕で本発明のセラミックス粉体を使い海水の有機化合物を除去し魚の養殖が可能になる。
【発明を実施するための最良の形態】
【００１５】
本発明の使用方法は二通りあり、その一つは、陸上の水槽に海水を入れ本発明のセラミックス粉体を使い有機化合物を除去し、魚の養殖が可能になり、もう一つのセラミックス球状体の使用方法は、セラミックス球状体を５００ｍｌ程度の専用容器に入れ個人個人が持ち、水道水を必要に応じて入れ、有機化合物を除去した飲料水を飲むことが出来、又一般家庭では、セラミックス球状体の入った２リットル程度の専用容器に水道水を入れ、有機化合物を除去した生活用水として活用出来、５００ｍｌ程度の容器も２リットル程度の容器も共にくり返し１８０回程度使える利点があり、本発明の使用状況は、セラミックス球状体の入っている専用容器に水道水を入れると、時間と共に有機化合物が除去され、特にアジア諸国、中東方面では昼間の温度が高く、水道水を容器に入れ放置すると水温が３０度〜４３度程度となるが、水中に薬石麦飯石の機能が働き腐らない飲料水として使用可能になる。
【実施例１】
【００１６】
セラミックス球状体が、水道水に含まれる有機化合物を除去した飲料水を、特に必要としているのは、妊婦から成長期の段階終わるまでである。